(57)【要約】【課題】光ビームの光量を調整する機構を小型化できなかった。【解決手段】光ビームの透過量を調整する光ビーム透過調整手段が互いに平行な２平面からなる第１の平行平面の組および第２の平行平面の組を有し、第１の平行平面の組の少なくとも１つの平面に光学フィルタが塗布された多面体透過素子と、第１の平行平面の組および第２の平行平面の組を構成する４平面に平行な回転軸周りに多面体透過素子を回転可能に支持する支持手段と多面体透過素子を回転駆動する回転駆動手段とから構成したものである。【選択図】図１
2005174455.tif 000002
【特許請求の範囲】
【請求項１】
所定の光パワーＰｐｒｅを有する第１の光ビームを発する光源と、
前記第１の光ビームの透過量を調整する光ビーム透過調整手段と、
前記光ビーム透過調整手段を透過した前記第１の光ビームを前記情報記録媒体に集光する集光手段とを備え、
前記光ビーム透過調整手段は、互いに平行な２平面からなる第１の平行平面の組および互いに平行な２平面からなる第２の平行平面の組を有し、前記第１の平行平面の組の少なくとも１つの平面には光学フィルタが塗布された多面体透過素子と、
前記第１の平行平面の組および前記第２の平行平面の組を構成する４平面に平行な回転軸周りに前記多面体透過素子を回転可能に支持する支持手段と、
前記多面体透過素子を前記回転軸周りに回転駆動する回転駆動手段とからなり、
前記光ビームが前記多面体透過素子の前記第１の平行平面の組を透過するように前記回転駆動手段によって位置決めすることにより前記所定の光パワーＰｐｒｅを第１の光パワーＰ１に調整し、
前記光ビームが前記多面体透過素子の前記第２の平行平面の組を透過するように前記回転駆動手段によって位置決めすることにより前記所定の光パワーＰｐｒｅを第２の光パワーＰ２に調整し、
前記所定の光パワーＰｐｒｅと、前記第１の光パワーＰ１と、前記第２の光パワーＰ２とは、
関係Ｐ１＜Ｐ２≦Ｐｐｒｅを満たす、情報記録再生装置。
【請求項２】
１層または２層の記録層を有する情報記録媒体に情報を記録し、前記情報記録媒体に記録された前記情報を再生する情報記録再生装置であって、
所定の光パワーＰｐｒｅを有する第１の光ビームを発する光源と、
前記情報記録媒体が１層の記録層を有するか、２層の記録層を有するかを判別する判別手段と、
前記判別手段における判別結果に基づいて、前記第１の光ビームの透過量を調整する光ビーム透過調整手段と、
前記光ビーム透過調整手段を透過した前記第１の光ビームを前記情報記録媒体に集光する集光手段とを備え、
前記光ビーム透過調整手段は互いに平行な２平面からなる第１の平行平面の組および互いに平行な２平面からなる第２の平行平面の組を有し、前記第１の平行平面の組の少なくとも１つの平面には光学フィルタが塗布された多面体透過素子と、
前記第１の平行平面の組および前記第２の平行平面の組を構成する４平面に平行な回転軸周りに前記多面体透過素子を回転可能に支持する支持手段と、
前記多面体透過素子を前記回転軸周りに回転駆動する回転駆動手段とからなり、
前記情報記録媒体が１層の記録層を有すると判別された場合には、前記光ビームが前記多面体透過素子の前記第１の平行平面の組を透過するように前記回転駆動手段によって位置決めして前記所定の光パワーＰｐｒｅを第１の光パワーＰ１に調整し、
前記情報記録媒体が２層の記録層を有すると判断された場合には、前記光ビームが前記多面体透過素子の前記第２の平行平面の組を透過するように前記回転駆動手段によって位置決めして前記所定の光パワーＰｐｒｅを第２の光パワーＰ２に調整し、
前記所定の光パワーＰｐｒｅと、前記第１の光パワーＰ１と、前記第２の光パワーＰ２とは、
関係Ｐ１＜Ｐ２≦Ｐｐｒｅを満たす、情報記録再生装置。
【請求項３】
前記多面体透過素子は直方体透過素子である、請求項１または２に記載の情報記録再生装置。
【請求項４】
前記回転駆動手段は電磁駆動手段である、請求項１から３のいずれかに記載の情報記録再生装置。
【請求項５】
前記回転駆動手段は減速ギヤとモータである、請求項１から３のいずれかに記載の情報記録再生装置。
【請求項６】
前記光源は緑色から紫外線の波長領域において発光する半導体レーザである、請求項１から５のいずれかに記載の情報記録再生装置。
【請求項７】
前記光源は青色の波長領域において発光する半導体レーザである、請求項１から５のいずれかに記載の情報記録再生装置。
【発明の詳細な説明】
【技術分野】
【０００１】
本発明は光ピックアップ装置および光ディスク装置に関し、特に、短波長の半導体レーザ、例えばＧａＮ系半導体を用いた青色発光の半導体レーザを用いた情報記録再生装置に関するものである。
【背景技術】
【０００２】
デジタルバーサタイルディスク（ＤＶＤ）は、デジタル情報をコンパクトディスク（ＣＤ)の約６倍の記録密度で記録することができることから、大容量のデータを記録可能な情報記録媒体（光ディスク）として知られている。近年、情報記録媒体に記録されるべき情報量の増大に伴い、さらに容量の大きい情報記録媒体が求められている。情報記録媒体を大容量にするためには、情報記録媒体に情報を記録する際および情報記録媒体に記録された情報を再生する際に情報記録媒体に照射される光が形成する光スポットを小さくすることにより、情報の記録密度を高くする必要がある。光源のレーザ光を短波長にし、かつ、対物レンズの開口数（ＮＡ）を大きくすることによって、光スポットを小さくすることができる。ＤＶＤでは、波長６６０ｎｍの光源と、開口数（ＮＡ）０．６の対物レンズとが使用されている。例えば、波長４０５ｎｍの青色レーザと、ＮＡ０．８５の対物レンズとを使用することによって、現在のＤＶＤの記録密度の５倍の記録密度が達成される。
【０００３】
また、青色レーザによるレーザ光の短波長化に加えて、２倍の記録密度を達成するために、複数の記録層を有する情報記録媒体の開発も行われている。例えば、２層の記録層を有する光ディスクが可能になれば、上記レーザ光の短波長化およびＮＡの大きな対物レンズの使用と合わせて、１層の記録層を有するＤＶＤの約１０倍の記録密度を達成することが可能となる。
【０００４】
しかしながら、上述の青色レーザを光源として用いた高密度光ディスク装置では、青色レーザにおける再生用の光パワーのマージンは極めて小さく、光源の量子ノイズを引き起こす。従来の光ヘッドとして、量子ノイズの問題に対処したものがあった。
【０００５】
特許文献１記載の光ヘッドは光ディスクの盤面パワーを低く保ちながら、光ディスクの劣化およびデータの誤消去の発生を防止し、かつ、半導体レーザの量子ノイズを低く保ちながら良質の再生を行うことができる。
【０００６】
図４は従来技術による情報記録再生装置６００の構成を示す。
【０００７】
情報記録再生装置６００は、光源１６１と、強度フィルタ１６２と、ビームスプリッタ１６３と、コリメートレンズ１６４と、ミラー１６５と、対物レンズ１６６と、マルチレンズ１６８と、フォトダイオード１６９とを備える。
【０００８】
光源１６１は、ＧａＮ系の青色発光する半導体レーザである。光源１６１はまた、光ディスク１６７の記録層に記録/再生するためのコヒーレント光を発する。
【０００９】
強度フィルタ１６２は、光を吸収する吸収膜を含む光学素子である。強度フィルタ１６２は、光路へ機械的に出し入れ可能である。
【００１０】
ビームスプリッタ１６３は、光源１６１が発する光ビームを分離する光学素子である。コリメータレンズは、光源１６１が発する光ビームを平行光に変換するレンズである。ミラー１６５は、入射する光ビームを反射させ、反射された光ビームを光ディスク１６７へと指向させる光学素子である。対物レンズ１６６は、光ビームを光ディスク１６７の記録層に集光するレンズである。マルチレンズ１６８は、フォトダイオード１６９に光ビームを集光させるレンズである。フォトダイオード１６９は、光ディスク１６７の記録層で反射された光ビームを受け取り、電気信号に変換する。
【００１１】
次に、情報記録再生装置６００の動作を説明する。
【００１２】
光ディスク１６７に情報を記録する場合、強度フィルタ１６２は、光路外に位置する。光源１６１は、記録されるべき情報に従って変調された光ビームを発する。光ビームは、ビームスプリッタ１６３で反射され、コリメートレンズ１６４で平行光になる。次いで光ビームは、ミラー１６５で反射され、対物レンズ１６６を透過して光ディスク１６７上に集光する。（すなわち、光スポットが形成される。）光スポットが形成される部分の記録層の状態が、その情報に応じて変化する（例えば、結晶状態が変化する）。これにより光ディスク１６７には、記録層の状態の変化として情報が記録される。
【００１３】
光ディスク１６７に記録された情報を再生する場合、強度フィルタ１６２は、光路内に位置する。光源１６１は、変調されない光ビームを発する。光源１６１が発した光ビームは、強度フィルタ１６２を透過し、光ビームの光量（光パワー）が減衰される。次いで、減衰された光ビームは、ビームスプリッタ１６３で反射され、コリメータレンズ１６４で平行光になる。次いで光ビームは、ミラー１６５で反射され、対物レンズ１６６を透過して、光ディスク１６７上に集光する。光ビームは、光ディスク１６７の記録層の状態に応じた反射率で反射される。記録層で反射した光ビームは、再び対物レンズ１６６を透過し、ミラー１６５で反射する。その後光ビームはコリメータ１６４を透過し、マルチレンズ１６８を透過してフォトダイオード１６９に集光する。フォトダイオード１６９において、光ディスク１６７に記録された情報を示す情報信号と、非点収差法を用いて、光ディスク１６７上における光ビームの合焦状態を示すフォーカス誤差信号と、光ビームの照射位置を示すトラッキング誤差信号とが取り出される。フォーカシング制御手段（図示せず）は、フォーカシング誤差信号に基づいて対物レンズ１６６の位置を光軸方向に制御して、光ビームを光ディスク１６７上に合焦状態で集光させる。トラッキング制御手段（図示せず）は、トラッキング誤差信号に基づいて対物レンズ１６６の位置を光軸方向に垂直な方向に制御して光ビームを光ディスク１６７上の所望のトラックに集光させる。フォトダイオード１６９はまた、情報信号を再生する。これにより光ディスク１６７に記録された情報が再生される。
【００１４】
従来技術の情報記録再生装置６００によれば、再生時には、光源１６１の光パワーを、量子ノイズを十分に低く保った状態に設定することができ、かつ盤面パワーを光ディスク１６７の劣化およびデータの誤消去が発生しない低いパワーに押さえた状態で情報の再生をすることができる。一方、記録時には、光源１６１の光パワーを減衰させることなくそのまま用いて光ディスク１６７に記録することができる。
【特許文献１】特開２０００−１９５０８６号公報
【発明の開示】
【発明が解決しようとする課題】
【００１５】
しかしながら、前記従来の構成を有する情報記録再生装置６００では、強度フィルタ１６２は、光路中へ機械的に出し入れ可能に構成されているものであって、強度フィルタ１６２が光路中に位置する状態から光路外に位置する状態まで併進移動するためのスペースを必要とするため、出し入れするための機構が大型化し、情報記録再生装置の大型化を招くという課題を有していた。
【００１６】
本発明は、前記従来の課題を解決するもので、光源が発した光ビームの光量（光パワー）を調整するための機構を小型化し、結果として装置の小型化を実現することができる情報記録再生装置を提供することを目的とする。
【課題を解決するための手段】
【００１７】
本発明の情報記録再生装置は、所定の光パワーＰｐｒｅを有する第１の光ビームを発する光源と、前記第１の光ビームの透過量を調整する光ビーム透過調整手段と、前記光ビーム透過調整手段を透過した前記第１の光ビームを前記情報記録媒体に集光する集光手段とを備え、前記光ビーム透過調整手段は、互いに平行な２平面からなる第１の平行平面の組および互いに平行な２平面からなる第２の平行平面の組を有し、前記第１の平行平面の組の少なくとも１つの平面には光学フィルタが塗布された多面体透過素子と、前記第１の平行平面の組および前記第２の平行平面の組を構成する４平面に平行な回転軸周りに前記多面体透過素子を回転可能に支持する支持手段と、前記多面体透過素子を前記回転軸周りに回転駆動する回転駆動手段とからなり、前記光ビームが前記多面体透過素子の前記第１の平行平面の組を透過するように前記回転駆動手段によって位置決めすることにより前記所定の光パワーＰｐｒｅを第１の光パワーＰ１に調整し、前記光ビームが前記多面体透過素子の前記第２の平行平面の組を透過するように前記回転駆動手段によって位置決めすることにより前記所定の光パワーＰｐｒｅを第２の光パワーＰ２に調整し、前記所定の光パワーＰｐｒｅと、前記第１の光パワーＰ１と、前記第２の光パワーＰ２とは、関係Ｐ１＜Ｐ２≦Ｐｐｒｅを満たすものである。
【００１８】
本発明の情報記録再生装置は、１層または２層の記録層を有する情報記録媒体に情報を記録し、前記情報記録媒体に記録された前記情報を再生する情報記録再生装置であって、所定の光パワーＰｐｒｅを有する第１の光ビームを発する光源と、前記情報記録媒体が１層の記録層を有するか、２層の記録層を有するかを判別する判別手段と、前記判別手段における判別結果に基づいて、前記第１の光ビームの透過量を調整する光ビーム透過調整手段と、前記光ビーム透過調整手段を透過した前記第１の光ビームを前記情報記録媒体に集光する集光手段とを備え、前記光ビーム透過調整手段は互いに平行な２平面からなる第１の平行平面の組および互いに平行な２平面からなる第２の平行平面の組を有し、前記第１の平行平面の組の少なくとも１つの平面には光学フィルタが塗布された多面体透過素子と、前記第１の平行平面の組および前記第２の平行平面の組を構成する４平面に平行な回転軸周りに前記多面体透過素子を回転可能に支持する支持手段と、前記多面体透過素子を前記回転軸周りに回転駆動する回転駆動手段とからなり、前記情報記録媒体が１層の記録層を有すると判別された場合には、前記光ビームが前記多面体透過素子の前記第１の平行平面の組を透過するように前記回転駆動手段によって位置決めして前記所定の光パワーＰｐｒｅを第１の光パワーＰ１に調整し、前記情報記録媒体が２層の記録層を有すると判断された場合には、前記光ビームが前記多面体透過素子の前記第２の平行平面の組を透過するように前記回転駆動手段によって位置決めして前記所定の光パワーＰｐｒｅを第２の光パワーＰ２に調整し、前記所定の光パワーＰｐｒｅと、前記第１の光パワーＰ１と、前記第２の光パワーＰ２とは、関係Ｐ１＜Ｐ２≦Ｐｐｒｅを満たすものである。
【発明の効果】
【００１９】
本発明の情報記録再生装置は、所定の光パワーＰｐｒｅを有する第１の光ビームを発する光源と、前記第１の光ビームの透過量を調整する光ビーム透過調整手段と、前記光ビーム透過調整手段を透過した前記第１の光ビームを前記情報記録媒体に集光する集光手段とを備え、前記光ビーム透過調整手段は、互いに平行な２平面からなる第１の平行平面の組および互いに平行な２平面からなる第２の平行平面の組を有し、前記第１の平行平面の組の少なくとも１つの平面には光学フィルタが塗布された多面体透過素子と、前記第１の平行平面の組および前記第２の平行平面の組を構成する４平面に平行な回転軸周りに前記多面体透過素子を回転可能に支持する支持手段と、前記多面体透過素子を前記回転軸周りに回転駆動する回転駆動手段とからなり、前記光ビームが前記多面体透過素子の前記第１の平行平面の組を透過するように前記回転駆動手段によって位置決めすることにより前記所定の光パワーＰｐｒｅを第１の光パワーＰ１に調整し、前記光ビームが前記多面体透過素子の前記第２の平行平面の組を透過するように前記回転駆動手段によって位置決めすることにより前記所定の光パワーＰｐｒｅを第２の光パワーＰ２に調整し、前記所定の光パワーＰｐｒｅと、前記第１の光パワーＰ１と、前記第２の光パワーＰ２とは、関係Ｐ１＜Ｐ２≦Ｐｐｒｅを満たすので、光ビームが多面体透過素子の第１の平行平面の組を透過する位置と第２の平行平面の組を透過する位置とを多面体透過素子の前記回転軸周りの回転駆動によって切替えることができ、これにより光ビームが光学フィルタを透過する場合と透過しない場合に切替えることができる。
【００２０】
よって、多面体透過素子の回転移動によって光ビームの透過光量を調整することができるので、移動のために必要なスペースは多面体透過素子の回転容積のみに押さえることができる。
【００２１】
これにより、光ビーム透過調整手段を小型化することができ、結果として情報記録再生装置の小型化を実現することができる。
【００２２】
また、本発明の情報記録再生装置は、１層または２層の記録層を有する情報記録媒体に情報を記録し、前記情報記録媒体に記録された前記情報を再生する情報記録再生装置であって、所定の光パワーＰｐｒｅを有する第１の光ビームを発する光源と、前記情報記録媒体が１層の記録層を有するか、２層の記録層を有するかを判別する判別手段と、前記判別手段における判別結果に基づいて、前記第１の光ビームの透過量を調整する光ビーム透過調整手段と、前記光ビーム透過調整手段を透過した前記第１の光ビームを前記情報記録媒体に集光する集光手段とを備え、前記光ビーム透過調整手段は互いに平行な２平面からなる第１の平行平面の組および互いに平行な２平面からなる第２の平行平面の組を有し、前記第１の平行平面の組の少なくとも１つの平面には光学フィルタが塗布された多面体透過素子と、前記第１の平行平面の組および前記第２の平行平面の組を構成する４平面に平行な回転軸周りに前記多面体透過素子を回転可能に支持する支持手段と、前記多面体透過素子を前記回転軸周りに回転駆動する回転駆動手段とからなり、前記情報記録媒体が１層の記録層を有すると判別された場合には、前記光ビームが前記多面体透過素子の前記第１の平行平面の組を透過するように前記回転駆動手段によって位置決めして前記所定の光パワーＰｐｒｅを第１の光パワーＰ１に調整し、前記情報記録媒体が２層の記録層を有すると判断された場合には、前記光ビームが前記多面体透過素子の前記第２の平行平面の組を透過するように前記回転駆動手段によって位置決めして前記所定の光パワーＰｐｒｅを第２の光パワーＰ２に調整し、前記所定の光パワーＰｐｒｅと、前記第１の光パワーＰ１と、前記第２の光パワーＰ２とは、関係Ｐ１＜Ｐ２≦Ｐｐｒｅを満たすので、光ビームが多面体透過素子の第１の平行平面の組を透過する位置と第２の平行平面の組を透過する位置とを多面体透過素子の前記回転軸周りの回転駆動によって切替えることができ、これにより光ビームが光学フィルタを透過する場合と透過しない場合に切替えることができる。
【００２３】
よって、多面体透過素子の回転移動によって光ビームの透過光量を調整することができるので、移動のために必要なスペースは多面体透過素子の回転容積のみに押さえることができる。
【００２４】
これにより、光ビーム透過調整手段を小型化することができ、結果として情報記録再生装置の小型化を実現することができる。
【発明を実施するための最良の形態】
【００２５】
以下本発明の実施の形態について、図面を参照しながら説明する。
【００２６】
（実施の形態１）
図１は、本発明の実施の形態１における情報記録再生装置の構成図、図２は本発明の実施の形態１における情報記録再生装置の光ビーム透過調整手段の光ビームが光学フィルタを透過する場合の斜視図、図３は本発明の実施の形態１における情報記録再生装置の光ビーム透過調整手段の光ビームが光学フィルタを透過しない場合の斜視図である。図１において、従来例の説明に用いた図４に付した符号と同じ構成要素については同じ符号を用い、ここでは詳しい説明を省略する。
【００２７】
図１において、図４と異なるものは強度フィルタ１６２にかえて光ビーム透過調整手段１００を有する構成となっていることである。
【００２８】
図１〜図３において、光ビーム透過調整手段１００は、以下のように構成されている。
【００２９】
１は柱状の透過素子であり、この例では回転軸に垂直な断面は対向する辺が互いに平行となる四角形（長方形または正方形）となるように直方体形状とした直方体透過素子１を用いたものを例に説明を行う。直方体透過素子１は２つのホルダ２ａ、２ｂによって保持され、直方体透過素子１の複数ある側面のうちの互いに平行となる側面の組のいずれか一方から光ビームが入射し他方から出射するように光路中に配置されている。直方体透過素子１の４側面のうち１つの平面にのみ透過する光ビームの光量を減衰させる光学フィルタ１ａが塗布されている。２つのホルダ２ａ、２ｂには直方体透過素子１の４側面に平行な方向を軸とするシャフト３ａ、３ｂが設けられており、そのシャフト３ａ、３ｂはベース４に回動可能に支持されている。また、一方のホルダ２ａの側面にはリング状の永久磁石５が取り付けられており、永久磁石５はシャフト３ａと平行な方向に磁化されている。永久磁石５に対向する位置にコイル６が配置されておりベース４に固定されている。さらに、他方のホルダ２ｂの側面の２箇所にストッパ７ａ、７ｂが設けられている。直方体透過素子１の光学フィルタ１ａが塗布された平面が光ビームと垂直な位置にあるとき一方のストッパ７ａがベース４の一部と当接し、また、光学フィルタ１ａが塗布された平面が光ビームと平行な位置にあるとき他方のストッパ７ｂがベース４の一部と当接する。
【００３０】
以上のように構成された情報記録再生装置は、以下のように動作する。
【００３１】
まず、再生時には図２に示すように、半導体レーザ等の光源１６１の光路に配置された直方体透過素子１はストッパ７ａがベース４に当接した状態すなわち光学フィルタ１ａが塗布された平面が光ビームと垂直な位置に設定されている。このとき、半導体レーザ１６１から出射した光ビームの光量（光パワーＰｐｒｅ）は光学フィルタ１ａにより、光ディスク１６７に照射される光ビームが再生時の光量（光パワーＰ１）となるよう減衰された後、光学フィルタ１ａと対向する面より出射される。
【００３２】
また、記録時には図３に示すように、コイル６への通電により永久磁石５との間に発生する電磁力によって、直方体透過素子１がシャフト３ａ、３ｂを中心軸として回転し、ストッパ７ｂがベース４に当接する位置まで回転して位置決めされる。すなわち光学フィルタ１ａが塗布された平面が光ビームと平行な位置に設定され、半導体レーザ１６１から出射した光ビームは光学フィルタ１ａを透過することなく、回転軸に平行な直方体光学素子１の側面のうち光学フィルタ１ａに垂直な２つの面のうちの一方より入射し、他方より出射されるような構成となる。このとき直方体光学素子１を通過することにより光ビームが減衰し、光ビームが記録時の光量（光パワーＰ２）として光ディスク１６７に照射されることとなる。また光源１６１の光パワーＰｐｒｅ、再生時に直方体素子１を透過する光パワーＰ１、記録時に直方体素子１を透過する光パワーＰ２との間には、Ｐ１＜Ｐ２≦Ｐｐｒｅの関係を満足する。
【００３３】
かかる構成によれば、光ビームの透過量を調整する光ビーム透過調整手段が互いに平行な２平面からなる第１の平行平面の組および互いに平行な２平面からなる第２の平行平面の組を有し、第１の平行平面の組の少なくとも１つの平面に光学フィルタ１ａが塗布された多面体透過素子すなわち直方体透過素子１と、第１の平行平面の組および前記第２の平行平面の組を構成する４平面に平行な回転軸すなわちシャフト３ａ、３ｂ周りに直方体透過素子１を回転可能に支持する支持手段すなわちベース４と直方体透過素子１を永久磁石５とコイル６によって回転駆動するように構成されている。
【００３４】
従って、光パワーを調整するための機構の動作を従来のように併進移動ではなく回転動作とすることができる。
【００３５】
従って、光ビームが直方体透過素子１の光学フィルタ１ａを塗布した平面を透過する位置と光学フィルタ１ａを塗布していない平面を透過する位置とを直方体透過素子１のシャフト３ａ、３ｂ周りの回転駆動によって切替えることができ、これにより光ビームの光量が減衰される場合と減衰されない場合に切替えることができる。
【００３６】
よって、直方体透過素子１の回転移動によって光ビームの透過光量を調整することができるので、移動のために必要なスペースは直方体透過素子１の回転容積のみに抑えることができる。
【００３７】
これにより、光ビーム透過調整手段を小型化することができ、結果として光ヘッドの小型化を実現することができる。
【００３８】
なお、本実施の形態において、回転駆動手段として永久磁石５をホルダ２ａすなわち可動側に取付けてコイル６を固定側のベース４に固定したが、可動側にコイル、固定側に永久磁石５をそれぞれ取付けた構成としてもよい。また、回転駆動手段として、回転モータを用いて１つ以上のギヤによって回転力を伝達する構成としてもよい。
【００３９】
さらに、本実施の形態では、光ビーム透過調整手段は情報記録再生装置の再生時の光ビームの光量と記録時の光ビームの光量とを切り替えたが、１層または２層の記録層を有する情報記録媒体（または光ディスク）に情報を記録し再生する情報記録再生装置において、情報記録媒体の記録層が１層である場合の光ビームの光量と、記録層が２層である場合の光ビームの光量とを切り替えてもよい。
【００４０】
また、本実施の形態では多面体透過素子を直方体透過素子として、断面の形状を互いに対向する辺が平行となる四角形（つまり長方形または正方形）としたが、断面の形状を互いに対向する辺が平行となる６角形、８角形、・・・となるような２ｎ角形（ｎ：自然数）である２ｎ角柱となるような多面体透過素子すれば光ビームの光量を多段階に切り替えることができる。
【産業上の利用可能性】
【００４１】
本発明にかかる情報記録再生装置は、小型の光ビーム透過調整手段を有し、再生時には、光源の光パワーを量子ノイズを十分に低く保った状態に設定することができ、かつ盤面パワーを光ディスクの劣化およびデータの誤消去が発生しない低いパワーに押さえた状態で情報の再生をすることができる一方、記録時には、光源の光パワーを減衰させることなくそのまま用いて光ディスクに記録することができる情報記録再生装置の小型化に有用である。
【００４２】
または、１層の記録層または２層の記録層を有する情報記録媒体に情報を記録し、情報記録媒体に記録された情報を再生するための情報記録再生装置の小型化にも有用である。
【００４３】
また、開口制限の開口径の切り替え、回折素子の回折角度の切り替え等の用途にも応用できる。
【図面の簡単な説明】
【００４４】
【図１】本発明の実施の形態１に情報記録再生装置の構成図
【図２】本発明の実施の形態１における情報記録再生装置の光ビーム透過調整手段の光ビームが光学フィルタを透過する場合の斜視図
【図３】本発明の実施の形態１における情報記録再生装置の光ビーム透過調整手段の光ビームが光学フィルタを透過しない場合の斜視図
【図４】従来の情報記録再生装置の構成図
【符号の説明】
【００４５】
４００    実施の形態１における情報記録再生装置
１００    光ビーム透過調整手段
１    直方体透過素子
１ａ    光学フィルタ
２ａ，２ｂ    ホルダ
３ａ，３ｂ    シャフト
４    ベース
５    永久磁石
６    コイル
７ａ，７ｂ    ストッパ
１６１    光源
１６３    ビームスプリッタ
１６４    コリメートレンズ
１６５    ミラー
１６６    対物レンズ
１６７    情報記録媒体
１６８    マルチレンズ
１６９    フォトダイオード
６００    従来の情報記録再生装置
１６２    強度フィルタ
【図１】
2005174455.tif 000003
【図２】
2005174455.tif 000004
【図３】
2005174455.tif 000005
【図４】
2005174455.tif 000006